(57)【特許請求の範囲】
【請求項１】
コンテンツを再生する常に起動済状態の再生アプリケーションがインストールされたコンピュータ装置におけるデスクトップ表示制御装置であって、
通常デスクトップと、前記再生アプリケーションを操作するための専用デスクトップである再生デスクトップとを記憶しておくためのデスクトップ記憶部と、
再生デスクトップを生成し、前記デスクトップ記憶部に保存するデスクトップ生成手段と、
切替キーが操作された場合、内蔵または外部に接続される表示装置に現在表示されているデスクトップが通常デスクトップであれば再生デスクトップを前記デスクトップ記憶部から読み出して前記表示装置に表示させ、前記表示装置に現在表示されているデスクトップが再生デスクトップであれば通常デスクトップを前記デスクトップ記憶部から読み出して前記表示装置に表示させる表示制御手段とを備え、
前記再生デスクトップが、階層構造を有する複数の画面からなり、最上層の画面であるメインデスクトップと、複数のサブデスクトップとを含み、
前記表示制御手段が、前記切替キーが操作された場合、前記表示装置に表示されているデスクトップが通常デスクトップであれば、複数階層の再生デスクトップのうち、メインデスクトップを前記表示装置に表示させる一方で、通常デスクトップが前記表示装置に表示されているときに、ライブラリキーまたは再生キーが操作された場合、メインデスクトップの表示を経由せずに、サブデスクトップの１つであるコンテンツ選択デスクトップを前記表示装置に表示させる、デスクトップ表示制御装置。
【請求項２】
前記デスクトップ記憶部が、複数階層の再生デスクトップのうち、通常デスクトップが表示されているときにはメインデスクトップのみを記憶し、再生デスクトップが表示されているときには表示されているメインデスクトップ又はサブデスクトップのみを記憶し、
サブデスクトップが前記表示装置に表示されている場合に前記切替キーが操作され前記表示制御手段が通常デスクトップを前記表示装置に表示させる場合、前記デスクトップ生成手段が、前記デスクトップ記憶部に保存されているサブデスクトップを消去して、メインデスクトップを生成し前記デスクトップ記憶部に保存する、請求項１に記載のデスクトップ表示制御装置。
【請求項３】
請求項１または２に記載のデスクトップ表示制御装置における前記各手段を前記コンピュータ装置に実行させるための、デスクトップ表示制御プログラム。
【発明の詳細な説明】
【技術分野】
【０００１】
本発明は、コンピュータ装置にインストールされる再生アプリケーションを操作する操作画面を表示する表示制御装置に関する。
【背景技術】
【０００２】
ＰＣ（パーソナルコンピュータ）にインストールされた音楽再生アプリケーション（以下、再生アプリという。）を使用して、ＰＣのＨＤＤ（ハードディスクドライブ）に記録されている音楽ファイルを再生することが行われている。この場合に、再生アプリの各種操作（音楽ファイルの選択、再生条件の設定など）を実行するためのウィンドウが生成され、デスクトップ上に表示される。再生アプリを使って音楽ファイルを再生するためには、まず、デスクトップ上に表示された再生アプリのアイコンをダブルクリックし、再生アプリを起動させる。再生アプリが起動完了すると、再生アプリのウィンドウがデスクトップ上に表示されるので、ウィンドウ内の操作ボタンや音楽ファイルの情報等を選択することで、音楽ファイルを再生することができる。一方、ＰＣ上で他の操作を実行するために、再生アプリのウィンドウをデスクトップから消去するには、ウィンドウ右上の×ボタンを押して再生アプリを終了させるか、ウィンドウ右上の最小化ボタンを押してウィンドウを最小化させる必要がある。
【０００３】
このように、ユーザは音楽ファイルを再生して視聴する際に、再生アプリを操作するためには、デスクトップ上のアイコンをダブルクリックする操作が必要であり、再生アプリの操作画面をディスプレイから消去するにためには、ウィンドウを消去または最小化する操作が必要であるので、ＰＣで他のアプリケーション（例えば、ワープロソフト等）を操作している感覚と同じ感覚を得ることになってしまい、操作性が不十分であるという問題がある。また、デスクトップ上に表示される１つのウィンドウ上で再生アプリを操作するには、表示文字が小さく、所望の設定／選択項目の存在位置が分かりにくく、操作性が不十分である。さらに、再生アプリを使用する時にはじめて再生アプリを起動させ、ウィンドウを生成し表示するので、再生アプリが起動されウィンドウが表示されるまでの時間が長くなり、ユーザに不快感を与えるという問題がある。
【０００４】
【特許文献１】特開２０００−４７７８５号
【特許文献２】特開２００４−３４１６７８号
【特許文献３】ＷＯ２００４／０５１４５２
【発明の開示】
【発明が解決しようとする課題】
【０００５】
本発明の目的は、上記従来の課題を解決するためになされたものであり、再生アプリケーションの操作画面の表示および非表示の操作性を向上できる表示制御装置を提供することである。
【０００６】
本発明の他の目的は、ユーザ操作に応答して再生アプリケーションの操作画面の表示を迅速化できる表示制御装置を提供することである。
【課題を解決するための手段】
【０００７】
本発明の好ましい実施形態によるデスクトップ表示制御装置は、常に起動済状態になっておりコンテンツを再生する再生アプリケーションがインストールされたコンピュータ装置におけるデスクトップ表示制御装置であって、通常デスクトップと、該再生アプリケーションを操作するための専用デスクトップである再生デスクトップとを記憶しておくためのデスクトップ記憶部と、再生デスクトップを生成し、該デスクトップ記憶部に保存するデスクトップ生成手段と、ユーザ操作によるデスクトップ切替指示に応じて、内蔵または外部に接続される表示装置に現在表示されているデスクトップが通常デスクトップであれば再生デスクトップを該デスクトップ記憶部から読み出して該表示装置に表示させ、該表示装置に現在表示されているデスクトップが再生デスクトップであれば通常デスクトップを該デスクトップ記憶部から読み出して該表示装置に表示させる表示制御手段とを備える。
【０００８】
再生アプリケーションの操作画面が従来のような通常デスクトップ上に表示されるウィンドウではなく、通常デスクトップとは異なる専用の再生デスクトップによって構成される。しかも、再生アプリケーションは常に起動済であり、再生デスクトップがデスクトップ記憶部に記憶されているので、ユーザ操作によるデスクトップ切替指示に応じて、デスクトップ記憶部から再生デスクトップを読み出すだけで、表示装置に再生デスクトップが表示される。従って、従来のようにウィンドウを制御する操作が不要になり、操作性を向上することができる。さらに、表示装置にきわめて迅速に再生デスクトップを表示させることができる。
【０００９】
好ましい実施形態においては、前記再生デスクトップが、階層構造を有する複数のデスクトップからなり、最上層のデスクトップであるメイン画面と、複数のサブ画面とを含み、ユーザ操作による再生デスクトップの階層切替指示に応じて、前記表示制御手段が切替後のメイン画面またはサブ画面を前記表示手段に表示させる。
【００１０】
再生デスクトップは、階層構造になっており、各操作状況に応じて異なるデスクトップに切り替えられて表示される。従って、１つのウィンドウを使って操作画面を構成している従来と比較して、表示文字を大きくでき、設定項目の位置を迅速に探すことができ、操作性をさらに向上させることができる。
【００１１】
好ましい実施形態においては、前記デスクトップ記憶部が、複数階層の再生デスクトップのうち１つのデスクトップのみを記憶し、前記表示制御手段が、前記デスクトップ切替指示に応じて、前記表示装置に表示されているデスクトップが通常デスクトップであれば、複数階層の再生デスクトップのうち、メイン画面を該表示装置に表示させ、サブ画面が該表示装置に表示されている場合にデスクトップ切替指示に応じて該表示制御手段が通常デスクトップを該表示装置に表示させるとき、前記デスクトップ生成手段が、メイン画面を生成し前記デスクトップ記憶部に保存する。
【００１２】
デスクトップ記憶部に１つの再生デスクトップのみを記憶させることにより、デスクトップ記憶部の容量を小さなものにすることができる。デスクトップ切替指示に応じて、通常デスクトップから再生デスクトップに表示を切り替える際に、メイン画面に切り替えるにようにすることにより、その後いずれのサブ画面にも容易に表示を切り替えることができるので、操作性が向上する。このような条件の下で、サブ画面から通常デスクトップに表示が切り替えられた後、デスクトップ記憶部にサブ画面ではなくメイン画面を記憶させることにより、次回デスクトップ切替指示に応じて通常デスクトップからメイン画面に表示が切り替えられるときに、メイン画面を迅速に表示することができる。
【００１３】
好ましい実施形態においては、前記表示制御手段が、前記デスクトップ切替指示に応じて、前記表示装置に表示されているデスクトップが通常デスクトップであれば、複数階層の再生デスクトップのうち、メイン画面を該表示装置に表示させ、通常デスクトップが前記表示装置に表示されているときに、サブ画面を操作する必要のある指示がユーザ操作によって入力された場合、該表示制御手段が、メイン画面の表示を経由せずに、操作対象のサブ画面を該表示装置に表示させる。
【００１４】
デスクトップ切替指示に応じて、通常デスクトップから再生デスクトップに表示を切り替える際に、メイン画面に切り替えるにようにすることにより、その後いずれのサブ画面にも容易に表示を切り替えることができるので、操作性が向上する。一方、通常デスクトップが表示されているときに、サブ画面を操作する必要のある指示（例えば、再生するコンテンツを選択する画面を表示する指示、再生開始する指示等）が入力された場合には、メイン画面を介さずに、直接、操作対象のサブ画面に切り替わるので、操作性をさらに向上できる。
【００１５】
好ましい実施形態においては、ユーザ操作による前記再生アプリケーションの起動指示が入力された場合、該起動指示を、デスクトップを通常デスクトップから再生デスクトップに切り替えるためのデスクトップ切替指示に変換し、該デスクトップ切替指示を前記表示制御手段に送信する変換手段をさらに備える。
【００１６】
通常デスクトップが表示されているときにユーザが再生アプリケーションを起動させる起動指示を入力した場合には、再生アプリケーションは常に起動済状態であるので、ユーザ操作が無効になってしまう。そこで、変換手段が、起動指示をデスクトップ切替指示に変換することにより、表示装置に表示されているデスクトップを再生デスクトップに切り替えることができ、操作性をさらに向上させることができる。
【００１７】
好ましい実施形態においては、前記コンピュータ装置にインストールされているオペレーティングシステムが起動された後、直ちに、前記再生アプリケーションが起動されると共に、前記デスクトップ生成手段が、該再生デスクトップを生成し、前記デスクトップ記憶部に保存する。
【００１８】
この場合、ＯＳ起動後に直ぐにユーザがデスクトップ切替指示を入力した場合でも、表示装置に再生デスクトップを迅速に表示することができる。
【００１９】
また、上記のいずれかに記載のデスクトップ表示制御装置における前記各手段を前記コンピュータ装置に実行させるための、デスクトップ表示制御プログラムという形態で提供されてもよい。
【発明の効果】
【００２０】
本発明によると、上記の通り、従来のようにウィンドウを制御する操作が不要になり、再生アプリケーションの操作画面を表示または非表示する操作性を向上することができる。さらに、表示装置にきわめて迅速に再生デスクトップを表示させることができる。
【発明を実施するための最良の形態】
【００２１】
以下、本発明の好ましい実施形態について、図面を参照して具体的に説明するが、本発明はこれらの実施形態には限定されない。図１は、本発明の好ましい実施形態によるデスクトップ表示制御装置の機能を有するパーソナルコンピュータ装置（以下、ＰＣという）１０、および、ＰＣ１０を操作するためのリモコン装置２０を示す概略ブロック図である。本例では、ＰＣ１０に、リモコン装置２０によって制御可能な音楽再生アプリケーションプログラム（以下、再生アプリという。）がインストールされている。ＰＣ１０は、ＣＰＵ１１、ＨＤＤ（Hard Disk Drive）１２、メモリ１３、操作部１４、表示部１５、ディスクドライブ１６、リモコン受信部１７、および、画像処理部１８を有する。これらは、バスを介して互いに接続されている。なお、操作部（例えば、マウス、キーボード等）１４、表示部（例えば、液晶ディスプレイ等）１５、および、ディスクドライブ１６（例えば、ＤＶＤドライブ等）は、ＰＣ１０に内蔵されずにＰＣ１０に外部接続されるものでもよい。
【００２２】
ＣＰＵ１１は、ＰＣ１０の各部を制御するものであり、ＨＤＤ１２に格納された各プログラム１２Ａ〜１２Ｃをメモリ１３に読み出して、各プログラムの動作を実行させる。ＨＤＤ１２には、オペレーティングシステム（マイクロソフト社のウィンドウズ（登録商標）など、以下、ＯＳという）１２Ａ、再生アプリ１２Ｂ、および、切替プリケーションプログラム（以下、切替アプリという）１２Ｃがインストールされている。これらのプログラム１２Ａ〜１２Ｃは、ＨＤＤ１２からメモリ１３に読み出されてＣＰＵ１１によって各動作が実行される。また、ＨＤＤ１２には、表示部１５に表示するデスクトップ画面（以下、デスクトップという）を生成するための複数のデスクトップ部品が予め格納されている。また、ＨＤＤ１２には、再生アプリ１２Ｂで再生される複数の音楽ファイルが記録されている。
【００２３】
再生アプリ１２Ｂは、ＨＤＤ１２に記録されている音楽ファイルを再生するアプリケーションである。ＯＳ１２Ａは、ＯＳ１２Ａが起動後、通常デスクトップを画像処理部１８に生成させ、ＲＡＭ１９に記憶させ、ユーザ操作とは無関係に、直ちに、再生アプリ１２Ｂを起動させる。再生アプリ１２Ｂは、起動後に、再生アプリ１２Ｂの操作画面である再生デスクトップ（詳細には、メイン画面）を画像処理部１８に生成させ、ＲＡＭ１９に記憶させる。再生アプリ１２Ｂは、ＯＳ１２Ａが起動済である限りにおいて、ＯＡ１２Ａ上で常駐している（つまり、常に起動済の状態になっている）。また、再生アプリ１２Ｂは、ユーザ操作に応じて、表示部１５に表示させるデスクトップを、通常デスクトップから再生デスクトップに切り替える。切替アプリ１２Ｃは、通常デスクトップが表示部１５に表示されている時、再生アプリを起動させる指示がユーザ操作によって入力されると、起動指示をデスクトップ切替指示に変換して、再生アプリ１２Ｃに送信するアプリケーションである。
【００２４】
図２は、表示部１５に表示されるデスクトップを説明する図である。デスクトップには、大別して、通常デスクトップと、再生デスクトップとが存在する。通常デスクトップは、通常のＰＣ操作を行うためのＯＳのデスクトップであり、例えば、図３Ａに示すようなデスクトップである。通常デスクトップには、複数のアイコン（例えば、再生アプリ１２Ｂのアイコンを含む）や、スタートボタンや、１又は複数のウィンドウ等が表示される。
【００２５】
再生デスクトップは、再生アプリ１２Ｂを操作するための専用デスクトップである。再生アプリ１２Ｂの操作画面を専用デスクトップとすることにより、ウィンドウ操作が不要になり、操作性が向上する。再生デスクトップは、階層構造を有しており、上位階層であるメイン画面（図３Ｂ）と、下位階層である複数のサブ画面（図３Ｃ〜図３Ｇ）とを含む。このように、再生デスクトップが操作する項目毎に複数の階層構造を有することも、操作性向上のための本発明の特徴の１つである。
【００２６】
メイン画面（図３Ｂ）は、再生アプリ１２Ｂのメニュー画面であり、例えば、「ライブラリ」、「ＣＤ」、「ＤＶＤ」、「音声外部入力」、「設定」、「終了」などの項目が表示されており、カーソルが位置している項目においてリモコン装置２０の決定キーが押されると、表示対象のサブ画面に表示が切り替わる。
【００２７】
メイン画面において「ライブラリ」が選択されると、メイン画面からライブラリ画面１（図３Ｃ）に表示が切り替わる。ライブラリ画面１は、ＨＤＤ１２に記録されている複数の音楽ファイルの中から再生する音楽ファイルを選択するための画面であり、図３Ｃでは音楽ファイルを絞り込むためのカテゴリ（全ての音楽、アーティスト、アルバム、ジャンル、プレイリスト）が表示されている。ライブラリ画面１には、図示しないが、所望の音楽ファイルを選択するために、リスト（アーティストリスト、アルバムリスト、曲リスト）を表示する各下位階層の画面を含む。ライブラリ画面１において最終的に音楽ファイルが選択されると、ライブラリ画面１からライブラリ画面２（図３Ｄ）に表示が切り替わる。ライブラリ画面２は、選択された音楽ファイの再生状況を表示する画面である。
【００２８】
メイン画面において「ＣＤ」が選択されると、メイン画面からＣＤ画面（図３Ｅ）に表示が切り替わる。ＣＤ画面は、ディスクドライブ１６でＣＤを再生するためのデスクトップであり、ＣＤに収録された複数のトラックが表示され、かつ、再生中のトラックにはカーソルが表示されている。同様に、メイン画面において「ＤＶＤ」が選択されると、メイン画面からＤＶＤ画面（図示せず）に表示が切り替わる。
【００２９】
メイン画面において「音声外部入力」が選択されると、メイン画面から入力選択画面（図３Ｆ）に表示が切り替わる。入力選択画面は、ＰＣ１０に外部接続される図示しない複数のオーディオ機器から入力される複数の音声信号の中から１つの音声信号を選択するための画面である。
【００３０】
メイン画面において「設定」が選択されると、メイン画面から設定画面１（図３Ｇ）に表示が切り替わる。設定画面１は、再生アプリ１２Ｂの各種設定を操作するための画面である。図３Ｇの設定画面では、再生デバイス、再生設定、再生タイマーなどの項目が表示されているが、これらの項目が選択されると、詳細な設定項目である設定画面２（図示せず）に表示が切り替わるようになっている。
【００３１】
図１に戻り、画像処理部１８は、ＨＤＤ１２に格納されているデスクトップ部品を用いて、通常デスクトップおよび再生デスクトップを描画処理によって生成し、画像処理部１８に接続されているＲＡＭ１９に保存する。表示部１５に現在表示されているデスクトップが通常デスクトップであるか、再生デスクトップであるかに関わらず、ＲＡＭ１９には常に通常デスクトップと、少なくとも１つの再生デスクトップとが保存されている。従って、ユーザ操作に応じて、表示部１５に表示するデスクトップを通常デスクトップから再生デスクトップに、又は、再生デスクトップから通常デスクトップに切り替える際に、新たにデスクトップの描画処理を実行せずに、ＲＡＭ１９に保存されているデスクトップを読み出すだけであるので、デスクトップを迅速に切り替えることができる。
【００３２】
例えば、ＲＡＭ１９の容量削減のため、ＲＡＭ１９に１つの再生デスクトップのみが常に記憶される場合、表示部１５に通常デスクトップが表示されているときには、再生デスクトップとしてメイン画面が保存される。これは、ユーザ操作によるデスクトップ切替指示（後述するリモコン装置２０の切替キー操作）に応じて、通常デスクトップから再生デスクトップに切り替える際に、複数の階層の再生デスクトップのうち、メイン画面に切り替えられるので、迅速にメイン画面を表示できるようにするためである。
【００３３】
なお、後述するリモコン装置２０のライブラリキー、ＣＤキー、ＤＶＤキー、再生キー等が操作された（サブ画面を操作する必要のある指示が入力された）場合には、通常デスクトップから、メイン画面を経由せずに、直接、操作対象のライブラリ画面、ＣＤ画面、ＤＶＤ画面に切り替わる。この場合には、ＲＡＭ１９に保存されているメイン画面を使用することができないので、メイン画面を消去して、表示すべきサブ画面を新たに描画処理することになる。
【００３４】
リモコン受信部１７は、リモコン装置２０からリモートコントロール信号（以下、リモコン信号という。）を受信するものである。リモコン信号の方式としては、赤外線、Bluetooth、ＬＡＮ、IEEE1394等の任意の適切なものが用いられる。
【００３５】
リモコン装置２０は、マイコン２１、メモリ２２、操作部２３、及び、リモコン送信部２４を有する。マイコン２１は、メモリ２２に格納されているプログラムに基づいてリモコン装置２０の各部を制御する。操作部２３は、ユーザによる指示が入力されるものである。図４は、リモコン装置２０の外観を示す図である。操作部２３は、リモコン装置２０に設けられた各操作キーを含み、例えば、切替キー２３Ａ、ライブラリキー２３Ｂ、ＣＤキー２３Ｃ、ＤＶＤキー２３Ｄ、再生キー２３Ｅ、カーソルキー２３Ｆ、決定キー２３Ｇ等を含む。
【００３６】
切替キー２３Ａが操作されたとき、リモコン送信部２４はデスクトップ切替指示をＰＣ１０のリモコン受信部１７に送信する。ライブラリキー２３Ｂが操作されたとき、リモコン送信部２４はライブラリ画面１への切替指示をＰＣ１０のリモコン受信部１７に送信する。ＣＤキー２３Ｃが操作されたとき、リモコン送信部２４はＣＤ画面への切替指示をＰＣ１０のリモコン受信部１７に送信する。再生キー２３Ｅが操作されたとき、リモコン送信部２４はライブラリ画面２への切替指示および音楽ファイルの再生指示をＰＣ１０のリモコン受信部１７に送信する。カーソルキー２３Ｆが操作されたとき、再生デスクトップに表示されるカーソルを移動する指示をＰＣ１０のリモコン受信部１７に送信する。決定キー２３Ｇが操作されたとき、再生デスクトップに表示されるカーソルが位置する項目を選択する指示をＰＣ１０のリモコン受信部１７に送信する。
【００３７】
以上の構成を有するＰＣ１０について、図５のフローチャートを参照して、デスクトップ表示制御処理を説明する。
［ＯＳ起動時の処理］
まず、ＰＣ１０の電源がオン状態にされると（Ｓ１）、ＯＳ１２Ａが起動し（Ｓ２）、ＯＳ１２Ａは、通常デスクトップを画像処理部１８に描画させ、通常デスクトップをＲＡＭ１９に保存させ、表示部１５に通常デスクトップ１５を表示させる。また、ＯＳ１２Ａの起動後に、ＯＳ１２Ａは、再生アプリ１２Ｂを起動させる（Ｓ３）。ＯＳ１２Ａが起動済の状態においては、再生アプリ１２ＢはＯＳ１２Ａ上に常駐している。続いて、再生アプリ１２Ｂは、再生デスクトップのメイン画面を画像処理部１８に描画させ、ＲＡＭ１９に保存させる（Ｓ４）。従って、ＲＡＭ１９には、通常デスクトップと再生デスクトップ（メイン画面）とが記憶されている。
【００３８】
［ユーザ操作による指示入力の監視処理］
ＯＳ１２Ａは、Ｓ５〜Ｓ８においてユーザ操作による指示が入力されたかを監視している。すなわち、ＯＳ１２Ａは、通常デスクトップが表示されている状態でマウスの操作によって再生アプリ１２Ｂの起動指示が入力されたか（例えば、通常デスクトップに表示されている再生アプリ１２Ｂのアイコンがダブルクリックされたか）否かを監視している（Ｓ５）。また、ＯＳ１２Ａは、通常デスクトップまたは再生デスクトップが表示されている状態でリモコン装置２０の切替キー２３Ａが操作されて、デスクトップ切替指示が入力されたか否かを監視している（Ｓ６）。さらに、ＯＳ１２Ａは、通常デスクトップが表示されている状態で、メイン画面を経由せずに直接サブ画面へ切り替える指示が入力されたか（リモコン装置２０のライブラリキー２３Ｂ、ＣＤキー２３Ｃ、再生キー２３Ｅ等が操作されたか）否かを監視している（Ｓ７）。さらに、ＯＳ１２Ａは、再生デスクトップが表示されている状態で、他の再生デスクトップに切り替える指示が入力されたか（リモコン装置２０のカーソルキー２３Ｆや、決定キー２３Ｇが操作されて、再生デスクトップに表示されている項目が選択されたか）を監視している（Ｓ８）。
【００３９】
［マウス操作による再生アプリ起動指示入力時の処理］
Ｓ５において、通常デスクトップが表示されている状態でマウスの操作によって再生アプリ１２Ｂの起動指示が入力された（通常デスクトップに表示されている再生アプリ１２Ｂのアイコンがダブルクリックされた）場合（Ｓ５でＹＥＳ）、ＯＳ１２Ａは、切替アプリ１２Ｃを起動させる（Ｓ９）。切替アプリ１２Ｃは、ユーザ操作によって入力された再生アプリ１２Ｂの起動指示を、デスクトップ切替指示に変換し、デスクトップ切替指示を再生アプリ１２Ｂに送信する（Ｓ１０）。再生アプリ１２Ｂは、デスクトップ切替指示を受信して、表示部１５に表示されるデスクトップを通常デスクトップから再生デスクトップ（メイン画面）に切り替える（Ｓ１１）。このとき、画像処理部１８が新たに再生デスクトップ（メイン画面）を描画するのではなく、ＲＡＭ１９に保存されているメイン画面を読み出して、表示部１５に表示させる。従って、迅速にメイン画面を表示することができる。再生アプリ１２Ｂは常駐しているので、ユーザ操作によって再生アプリ１２Ｂの起動指示が入力されても、再生アプリ１２Ｂの起動指示は無効とされてしまうが、本例では、切替アプリ１２Ｃが再生アプリの起動指示をデスクトップ切替指示に変換することにより、ユーザによる再生アプリ１２Ｂの起動指示に応じて、通常デスクトップからメイン画面に切り替えることができ、操作性が向上する。その後、Ｓ５に戻って、ＯＳ１２Ａは、各監視処理を継続する。
【００４０】
［リモコン装置の切替キーが操作された際の処理］
Ｓ６において、通常デスクトップまたは再生デスクトップが表示されている状態で、リモコン装置２０の切替キー２３Ａが操作され、デスクトップ切替指示が入力された場合（Ｓ６でＹＥＳ）、再生アプリ１２Ｂは、表示部１５に現在表示されているデスクトップが通常デスクトップか否かを判断する（Ｓ１２）。通常デスクトップが表示されている場合（Ｓ１２でＹＥＳ）、再生アプリ１２Ｂは、表示部１５に表示されるデスクトップを通常デスクトップから再生デスクトップ（メイン画面）に切り替える（Ｓ１１）。このとき、画像処理部１８が新たにメイン画面を描画するのではなく、ＲＡＭ１９に保存されているメイン画面を読み出して、表示部１５に表示させる。従って、迅速にメイン画面を表示することができる。その後、Ｓ５に戻って、ＯＳ１２Ａは、各監視処理を継続する。
【００４１】
一方、Ｓ１２で再生デスクトップ（メイン画面又はサブ画面）が表示されている場合（Ｓ１２でＮＯ）、再生アプリ１２Ｂは、表示部１５に表示されるデスクトップを再生デスクトップから通常デスクトップに切り替える（Ｓ１３）。このとき、画像処理部１８が新たに通常デスクトップを描画するのではなく、ＲＡＭ１９に保存されている通常デスクトップを読み出して、表示部１５に表示させる。従って、迅速に通常デスクトップを表示することができる。さらに、サブ画面から通常デスクトップに切り替えられたとき、ＯＳ１２Ａは、ＲＡＭ１９に保存されているサブ画面を消去して、画像処理部１８にメイン画面を描画させ、ＲＡＭ１９に保存させる。次回、デスクトップ切替指示に応じて、通常デスクトップからメイン画面に切り替える際に、メイン画面に迅速に切り替えることができるようにするためである。その後、Ｓ５に戻って、ＯＳ１２Ａは、各監視処理を継続する。
【００４２】
［リモコン装置のサブ画面に直接切り替えるキーが操作された際の処理］
Ｓ７において、通常デスクトップが表示されている状態で、メイン画面を経由せずに直接サブ画面へ切り替える指示が入力された（リモコン装置２０のライブラリキー２３Ｂ、ＣＤキー２３Ｃ、再生キー２３Ｅ等が操作された）場合（Ｓ７でＹＥＳ）、ＯＳ１２Ａは、ＲＡＭ１９に保存されている再生デスクトップ（メイン画面）を消去して、画像処理部１８に切替対象の再生デスクトップ（サブ画面）を描画させ、ＲＡＭ１９に保存させる。そして、再生アプリ１２Ｂは、表示部１５に表示されるデスクトップを通常デスクトップから画像処理部１８によって新たに生成されＲＡＭ１９に保存された再生デスクトップ（サブ画面）に切り替える（Ｓ１４）。この場合、通常デスクトップからメイン画面を経由せずに直接サブ画面に切り替わるので、操作性が向上する。その後、Ｓ５に戻って、ＯＳ１２Ａは、各監視処理を継続する。
【００４３】
［リモコン操作によって、再生デスクトップの階層を切り替える指示が入力された際の処理］
Ｓ８において、再生デスクトップが表示されている状態で、他の再生デスクトップに（つまり、メイン画面からサブ画面へ、サブ画面から他のサブ画面へ、又は、サブ画面からメイン画面へ）切り替える指示が入力された場合（つまり、リモコン装置２０のカーソルキー２３Ｆや、決定キー２３Ｇが操作されて、再生デスクトップに表示されている項目の１つが選択された場合）、ＯＡ１２Ａは切替後の再生デスクトップを判別し、ＲＡＭ１９に保存されている再生デスクトップを消去し、画像処理部１８に切替後の再生デスクトップを描画させ、ＲＡＭ１９に保存させる。そして、再生アプリ１２Ｂは、表示部１５に表示されるデスクトップを再生デスクトップから画像処理部１８によって新たに生成されＲＡＭ１９に保存された他の再生デスクトップに切り替える（Ｓ１５）。その後、Ｓ５に戻って、ＯＳ１２Ａは、各監視処理を継続する。
【００４４】
以上のように、本実施形態においては、再生アプリ１２Ｂ専用の複数階層の再生デスクトップを設け、ＲＡＭ１９に通常デスクトップと再生デスクトップとを記憶させておくことによって、ユーザからのデスクトップ切替指示によって迅速に再生デスクトップを表示させることができ、操作性を向上させることができる。
【００４５】
以上、本発明の好ましい実施形態を説明したが、本発明はこれらの実施形態には限定されない。なお、再生アプリ１２Ｂの操作画面を専用デスクトップとすることにより、再生アプリ１２Ｂが音楽ファイルを再生しているときに他のアプリケーションやＯＳからの音声を出力しないようにするシステムの場合に、他のアプリケーションやＯＳを操作できないようにすることで、ユーザを困惑させることを防止できるという付加的な効果も得られる。また、上記では、ＲＡＭ１９に通常デスクトップと再生デスクトップとが常時保存されている場合を説明したが、例えば、通常デスクトップ表示時はＲＡＭ１９には通常デスクトップが保存されておらず、再生デスクトップに表示が切り替わる際に、表示されている通常デスクトップをＲＡＭ１９に戻して保存するようにしてもよい。同様に、メイン画面表示時はＲＡＭ１９にはメイン画面が保存されておらず、通常デスクトップに表示が切り替わる際に、表示されているメイン画面をＲＡＭ１９に戻して保存するようにしてもよい。要するに、デスクトップ切替時に新たにデスクトップを生成することなく、通常デスクトップ、再生デスクトップをＲＡＭ１９から読み出して表示できればよい。本発明は、上記のデスクトップ表示制御装置の動作をコンピュータ装置に実行させるコンピュータプログラムまたはそれを記録した記録媒体という形態で提供されてもよい。
【産業上の利用可能性】
【００４６】
本発明はリモコン装置でアプリケーションプログラムを操作するパーソナルコンピュータに好適に適用され得る。
【図面の簡単な説明】
【００４７】
【図１】本発明の好ましい実施形態によるＰＣ１０およびリモコン装置２０の構成を示すブロック図である。
【図２】通常デスクトップと、再生デスクトップとの関係を示す図である。
【図３Ａ】通常デスクトップを示す図である。
【図３Ｂ】メイン画面を示す図である。
【図３Ｃ】ライブラリ画面１を示す図である。
【図３Ｄ】ライブラリ画面２を示す図である。
【図３Ｅ】ＣＤ画面を示す図である。
【図３Ｆ】入力選択画面を示す図である。
【図３Ｇ】設定画面を示す図である。
【図４】リモコン装置２０の外観を示す図である。
【図５】本例の動作を説明するフローチャートである。
【符号の説明】
【００４８】
１０        ＰＣ
１１        ＣＰＵ
１２        ＨＤＤ
１２Ａ      ＯＳ
１２Ｂ      再生アプリ
１２Ｃ      切替アプリ
１３        メモリ
１４        操作部
１５        表示部
１６        ディスクドライブ
１７        リモコン受信部
１８        画像処理部
１９        ＲＡＭ
２０        リモコン装置
２１        マイコン
２２        メモリ
２３        操作部
２４        リモコン受信部
【図１】
0004877522.tif 000002
【図２】
0004877522.tif 000003
【図４】
0004877522.tif 000004
【図５】
0004877522.tif 000005
【図３Ａ】
0004877522.tif 000006
【図３Ｂ】
0004877522.tif 000007
【図３Ｃ】
0004877522.tif 000008
【図３Ｄ】
0004877522.tif 000009
【図３Ｅ】
0004877522.tif 000010
【図３Ｆ】
0004877522.tif 000011
【図３Ｇ】
0004877522.tif 000012